(57)【要約】【課題】パドック中の出走馬と引き手の周回に合わせて各種出走馬情報を表示する出走馬表示装置を提供することを目的とする。【解決手段】パドックの出走馬の周回路に沿って設けられ、出走馬情報を流動的に表示する表示部と、出走馬情報を格納する出走馬情報格納手段と、出走馬の位置を検出する出走馬位置検出手段と、検出された位置を基に格納されている出走馬情報の表示タイミングを決定し表示部に表示する出走馬情報表示手段とを、有することを特徴とする出走馬表示装置。【選択図】図１
2006071830.tif 000002
【特許請求の範囲】
【請求項１】
パドックの出走馬の周回路に沿って設けられ、出走馬情報を流動的に表示する表示部と、
出走馬情報を格納する出走馬情報格納手段と、
出走馬のパドック内での位置を検出する出走馬位置検出手段と、
検出された位置を基に格納されている出走馬情報の表示タイミングを決定し表示部に表示する出走馬情報表示制御手段とを、
有することを特徴とする出走馬表示装置。
【請求項２】
出走馬位置検出手段は、
出走馬に取り付けられた位置情報送信手段から送信される位置情報を基に検出することを特徴とする請求項１記載の出走馬表示装置。
【請求項３】
出走馬情報表示制御手段は、
出走馬に取り付けられた位置情報送信手段からの所定時間間隔の複数回の位置情報から速度を検出する速度検出手段と、
検出された速度により、表示部の流動速度を決定する流動速度決定手段とを有することを特徴とする請求項１記載の出走馬表示装置。
【請求項４】
請求項１記載の出走馬表示装置と、
出走馬情報を送信するサーバと、
出走馬の位置情報を送信する位置情報送信手段とを有することを特徴とする出走馬表示システム。
【請求項５】
出走馬情報を格納する出走馬情報格納ステップと、
出走馬のパドック内での位置を検出する出走馬位置検出ステップと、
検出された位置を基に格納されている出走馬情報の表示タイミングを決定し表示部に表示する出走馬情報表示ステップとを、
有することを特徴とする出走馬表示方法。
【発明の詳細な説明】
【技術分野】
【０００１】
本発明は、競馬場のパドックに設置される出走馬表示装置に関する。
【背景技術】
【０００２】
従来、パドック近傍に設置された大型スクリーンにより、最新の出走馬情報が提供されてきた。
【０００３】
図４は、従来例の出走馬表示システムの構成図である。
計算機室に設置されたトータリゼータシステムを管理するサーバ配下にＬＡＮ経由でオペレータの在席している統制室に設置された操作卓が接続されている。
【０００４】
操作卓では、出走馬情報などの情報が入力されている。
その操作卓を経由して、サーバは、表示制御装置に接続されている。
【０００５】
表示制御部は、パドックの近傍に設置された大型の表示装置を制御して、各種出走情報を表示している。
【０００６】
表示内容としては、例えば、場名、競走番号、距離、レコード、天候、馬場、含水量、レース名称、現在時刻、発走時刻、枠、馬番、馬名、馬体重、前回差、騎手名、負担重量などである。（例えば特許文献１）
【特許文献１】特開２０００−５０２５０号公報（第３頁、図３）
【発明の開示】
【発明が解決しようとする課題】
【０００７】
しかし、従来は、パドック（下見所）近傍に大型の表示装置を設置し、出走馬情報などの固定表示を行っているため、パドックの中を周回中の馬に合わせて出走馬情報を見ることが、見る位置により見難い問題があった。
【０００８】
本発明は、パドック中の出走馬と引き手の周回に合わせて各種出走馬情報を表示する出走馬表示装置を提供することを目的とする。
【課題を解決するための手段】
【０００９】
本発明の出走馬表示装置は、パドックの出走馬の周回路に沿って設けられ、出走馬情報を流動的に表示する表示部と、出走馬情報を格納する出走馬情報格納手段と、出走馬のパドック内での位置を検出する出走馬位置検出手段と、検出された位置を基に格納されている出走馬情報の表示タイミングを決定し表示部に表示する出走馬情報表示制御手段とを、有する構成である。
【００１０】
この構成により、出走馬がパドック内の周回路を進むのに同期して、出走馬情報も周回路に沿って流動していくため、競馬ファンは、出走馬が自分の見ている近くを通るときに、出走馬の状態とその出走馬情報を見やすい位置で見ることができるようになる。
【００１１】
また、出走馬位置検出手段は、出走馬に取り付けられた位置情報送信手段から送信される位置情報を基に検出する構成である。
この構成により、出走馬の位置を簡単に検出することができる。
【００１２】
また、出走馬情報表示制御手段は、出走馬に取り付けられた位置情報送信手段からの所定時間間隔の複数回の位置情報から速度を検出する速度検出手段と、検出された速度により、表示部の流動速度を決定する流動速度決定手段とを有する構成である。
この構成により、出走馬との同期をとった表示が決定できる。
【００１３】
また、出走馬表示システムは、出走馬表示装置と、出走馬情報を送信するサーバと、出走馬の位置情報を送信する位置情報送信手段とを有する構成である。
この構成により、出走馬情報を出走馬の周回に同期させて流動的に表示をすることができる。
【発明の効果】
【００１４】
本発明は、該当馬の出走データが馬と密着した型で表示されるので、ファンへの情報提供が改善され、ファンサービスも向上する。
【発明を実施するための最良の形態】
【００１５】
【実施例１】
【００１６】
図１に実施例の出走馬表示装置の構成図を示す。
出走馬表示装置１は、受信部２、位置検出部３、表示制御部４、情報格納部５、表示部６を有する。
【００１７】
受信部２は、複数の受信機を有し、位置情報送信部１１からの出走馬の識別情報等を無線で受信処理する。
【００１８】
位置検出部３は、位置情報を基に出走馬の位置を特定する。
【００１９】
例えば、出走馬に取付けられたアクティブタグからの信号を検知するための受信機を周回路に沿って５メートル間隔で配置し、複数の受信機が検出した情報から出走馬の位置と出走馬の識別情報を取得する。
【００２０】
また、出走馬に取付けられた無線ＬＡＮ装置やＧＰＳ装置からの信号を受信して、位置検出する方法もある。
【００２１】
表示制御部４は、情報格納部５に格納されている出走馬情報を取得し、出走馬の位置情報に同期するように、出走馬情報の表示タイミングを決定し、流動表示を開始する。
【００２２】
情報格納部５は、出走馬情報、周回路情報等をサーバ１２から受信して格納する。
【００２３】
表示部６は、表示制御部４から表示制御を受けて、出走馬情報の流動表示を行なう。
【００２４】
赤色、青色、緑色からなるＬＥＤ素子を用いてフルカラー表示可能にしている。
このため、出走馬情報は、フルカラーで分かりやすく見易い形でファンに提供できる。
【００２５】
表示内容としては、例えば、馬番、馬名、馬体重、前回差、騎手名、負担重量である。
出走馬情報表示文字として、例えば、馬番：全角１文字・半角２文字（数字）、馬名：半角９文字（カタカナ）、騎手名：全角６文字・半角１２文字（漢字・カタカナ）、馬体重：半角３文字（数字）、前回差：半角３文字（数字）で表示する。
【００２６】
また、出走馬表示システム１０は、出走馬表示装置１、位置情報送信部１１、サーバ１２、操作卓１３を有する。
【００２７】
位置情報送信部１１は、出走馬に搭載される。
【００２８】
例えば、アクティブ型ＲＦＩＤ（Radio Frequency Identification）を搭載したアクティブタグを搭載する。微弱無線電波で、出走馬の識別情報等を位置情報等として送信する。
【００２９】
また、無線ＬＡＮ装置やＧＰＳ装置なども位置検知システムとして使用できる。
【００３０】
サーバ１２は、トータリゼータシステムを管理しており、操作卓から入力される出走馬情報、競技結果情報などの情報を処理している。
【００３１】
操作卓１３は、オペレータにより出走馬情報などが入力される。
【００３２】
図２に出走馬表示装置の外観図を示す。
パドックの周回路に沿って設けられた巨大なドーム型の立体型の表示装置であり、各出走馬が周回する速度に合わせて、出走馬情報を流動させる。
【００３３】
その結果、パドックに集まった競馬ファンは、馬の状態を見やすい位置にある出走馬情報と照し合せながら、馬券の購入等を決めることができる。
【００３４】
図３に出走馬表示装置の処理の手順を示す。
まず、出走馬情報が、操作卓１３からサーバ１２に入力される。
【００３５】
その出走馬情報は、サーバ１２から出走馬表示装置１に送信されるので、情報格納部５に格納される（Ｓ１ステップ）。
【００３６】
次に、出走馬がパドックに入場してくると、出走馬に搭載している位置情報送信部１１により、出走馬の識別情報等が送信される。
１回目の識別情報等を受信部２で受信する（Ｓ２ステップ）。
【００３７】
次に、所定時間後、２回目の識別情報等を受信部２で受信する（Ｓ３ステップ）。
【００３８】
次に、位置検出部３は、受信部２で受信された識別情報等の１回目および２回目の情報から１回目と２回目の位置情報を特定する。
【００３９】
そして、１回目と２回目の位置情報の差および時間差とから速度を計算する。
一方、出走馬の識別情報を基に、情報格納部５から出走馬情報を取得する。
【００４０】
これらの情報を基に周回路の位置情報と出走馬の位置情報とが同期するように、表示位置と出走馬情報の表示タイミングを決定する（Ｓ４ステップ）。
【００４１】
次に、決定された表示タイミングに基づいて表示部６に表示を開始する（Ｓ５ステップ）。
【００４２】
出走馬情報は、出走馬の周回速度に合わせて流動していく。
【００４３】
全出走馬が終了したか否かを確認する（Ｓ６ステップ）。
終了していなければ、Ｓ２ステップへ戻る。
【００４４】
すなわち、次の出走馬がパドックに入場してくると、同様の処理を行なう。
終了していれば、処理を終了する。
【００４５】
この結果、該当馬の出走データが馬と密着した型で表示されるので、ファンへの情報提供が改善され、ファンサービスも向上することができる。
【００４６】
また、以下のように、出走馬に表示装置を搭載して、出走馬表示装置１と連携して表示することで、ファンサービスを更に向上させることができる。
【００４７】
例えば、馬のゼッケンに、表示装置を設けて、表示にその馬の出走情報を表示する方法や馬の鞍上に、プラカードのような表示装置を取付けて、表示にその馬の出走情報を表示する方法である。
【００４８】
以上の実施例１を含む実施形態に関し、更に以下の付記を開示する。
（付記１）パドックの出走馬の周回路に沿って設けられ、出走馬情報を流動的に表示する表示部と、出走馬情報を格納する出走馬情報格納手段と、出走馬のパドック内での位置を検出する出走馬位置検出手段と、検出された位置を基に格納されている出走馬情報の表示タイミングを決定し表示部に表示する出走馬情報表示制御手段とを、有することを特徴とする出走馬表示装置。
（付記２）出走馬位置検出手段は、出走馬に取り付けられた位置情報送信手段から送信される位置情報を基に検出することを特徴とする付記１記載の出走馬表示装置。
（付記３）出走馬情報表示制御手段は、出走馬に取り付けられた位置情報送信手段からの所定時間間隔の複数回の位置情報から速度を検出する速度検出手段と、検出された速度により、表示部の流動速度を決定する流動速度変更手段とを決定することを特徴とする付記１記載の出走馬表示装置。
（付記４）付記１記載の出走馬表示装置と、出走馬情報を送信するサーバと、出走馬の位置情報を送信する位置情報送信手段とを有することを特徴とする出走馬表示システム。
（付記５）出走馬情報を格納する出走馬情報格納ステップと、出走馬のパドック内での位置を検出する出走馬位置検出ステップと、検出された位置を基に格納されている出走馬情報の表示タイミングを決定し表示部に表示する出走馬情報表示ステップとを、有することを特徴とする出走馬表示方法。
（付記６）出走馬情報を格納する出走馬情報格納ステップと、出走馬のパドック内での位置を検出する出走馬位置検出ステップと、検出された位置を基に格納されている出走馬情報の表示タイミングを決定し表示部に表示する出走馬情報表示ステップとを、コンピュータに実行させるための出走馬表示プログラム。
【産業上の利用可能性】
【００４９】
本発明は、競馬場のパドックに大型の表示装置を提供する用途に適用できる。
【図面の簡単な説明】
【００５０】
【図１】実施例の出走馬表示装置の構成図
【図２】出走馬表示装置の外観図
【図３】出走馬表示装置の処理の流れ図
【図４】従来例の出走馬表示システムの構成図
【符号の説明】
【００５１】
１      出走馬表示装置
２      受信部
３      位置検出部
４      表示制御部
５      出走馬情報格納部
１０      出走馬表示システム
１１      位置情報送信部
１２      サーバ
１３      操作卓
【図１】
2006071830.tif 000003
【図２】
2006071830.tif 000004
【図３】
2006071830.tif 000005
【図４】
2006071830.tif 000006